(57)【要約】【課題】  従来のボール洗浄効果監視装置では、洗浄効果を洗浄ボールの運動量を計測することで行っていたが、運動量を求めるための、洗浄ボールの質量、洗浄ボールが受ける力などを計測するのが困難であった。【解決手段】  メイン管２ｄ、バイパス７管、速度計測管９、流量計２２を有したボール洗浄効果監視装置４を用いて、バイパス管７を通過する冷却水の速度と、洗浄ボール６の速度とを計測する。そして、冷却水の速度と、洗浄ボール６の速度との速度差を用いて洗浄効果を評価する。さらに、スパイラル管８の内部には、帯状のガイドブレード１８を螺旋状に設けており、メイン管２ｄからバイパス管７に導く洗浄ボール６の数を調整することが出来るようになっている。【選択図】  図２ 
2005188906.tif 000002
【特許請求の範囲】
【請求項１】
洗浄効果を確認することが出来るボール洗浄効果監視装置において、
該ボール洗浄効果監視装置はメイン管とバイパス管とを有し、
該メイン管の上流部に洗浄ボールを該バイパス管に導くためのスパイラル管を設け、
該バイパス管の一部を速度計測管と成し該洗浄ボールの速度を計測すると共に該バイパス管に流体の流速計測手段を設け、
該速度計測管に該洗浄ボールの速度を計測するための速度計測手段を設け、
該速度計測管の内径を該洗浄ボールの外径より小さくなるように設定したことを特徴とするボール洗浄効果監視装置。
【請求項２】
該速度計測管の内径を該洗浄ボールが洗浄する対象の内径と等しいようにした請求項１記載のボール洗浄効果監視装置。
【請求項３】
該速度計測手段に、光センサーを用いた請求項１乃至２記載のボール洗浄効果監視装置。
【請求項４】
該スパイラル管の内面に、帯状のガイドブレードを螺旋状に設けた請求項１乃至３記載のボール洗浄効果監視装置。
【請求項５】
該スパイラル管を軸心に対して回動するように構成した請求項４記載のボール洗浄効果監視装置。
【請求項６】
流体の流速と洗浄ボールの速度とを計測し流体の流速と洗浄ボールの速度との速度差を算出して速度差が大きいほど洗浄効果がよいと評価するようにしたことを特徴とするボール洗浄効果監視方法。
【発明の詳細な説明】
【技術分野】
【０００１】
復水器等を流れる洗浄ボールの状態を監視するボール洗浄効果監視装置及び方法に関する。
【背景技術】
【０００２】
原子力発電所、火力発電所等に使われている発電設備の一つである復水器には、蒸気を冷やすために海水が使われていることが多い。しかし、冷やすために海水が使われているため、海水中に含まれる貝、泥などが復水器の細管内壁に付着することがある。この貝、泥などが付着したままで発電装置を運転すると、発電装置のエネルギー変換効率が悪くなるばかりでなく、復水器の細管が腐食して破損する恐れがある。そこで、復水器の細管を流れる海水によって移動することが出来る洗浄ボールを用いて、復水器の細管の内壁に付着した貝、泥などを洗浄ボール表面の摩擦力で除去し、復水器の細管の内壁を清掃する。
【０００３】
しかし、この洗浄ボールは、清掃によって次第に外側が摩耗していき、最後には洗浄能力を失う。そこで、洗浄ボールが洗浄能力を失う前に洗浄ボールを取り替えられるように、洗浄ボールの摩耗度を監視出来る装置がある。この装置は、復水器に接続された主管から分枝した枝管の途中に設置され、管の中を流れるボールの運動量を計算することで、ボールの摩耗度がわかるように構成されている（例えば、特許文献１参照）。
【特許文献１】特開昭６０−２９５号公報
【発明の開示】
【発明が解決しようとする課題】
【０００４】
特許文献１のような洗浄ボールの運動量を計測し、洗浄効果を監視する装置では、運動量を計測するための質量、及び力などを計測する必要がある。ここで示されている運動量測定器は、以下に示す３つの種類がある。第１に、管通過時の洗浄ボールと、管内面との摩擦力を測定するもの。第２に、管通過時の洗浄ボールの前後の圧力差を測定するもの。第３に、管通過時の洗浄ボールのある区間の通過時間を測定したものがある。
【０００５】
しかしながら、第1の運動量測定器を用いた洗浄効果を監視する装置では、摩擦力を測定するために、摩擦力に対抗するための「戻しばね」または「アーム」を用いている。このため、繰り返し加えられる摩擦力によって、「戻しばね」または「アーム」の復元力が次第に低下し、繰り返し測定することで測定精度が落ちていくので、実用的でないと考えられる。
【０００６】
第２の運動量測定器を用いた洗浄効果を監視する装置では、管通過時の洗浄ボールの前後の圧力差を測定しているが、水温等による圧力変化により、測定精度が悪くなり、摩耗などの洗浄ボール自体の質量変化による運動量を充分に測定できず、実用的ではないと考えられる。
【０００７】
第３の運動量測定器を用いた洗浄効果を監視する装置では、ある区間の通過時間をセンサーを用いて測定しているので、洗浄ボールと機械的に接触しておらず、機械的に測定精度が落ちることがなく、実用に耐えうると考えられる。しかし、運動量を用いて洗浄効果を監視するので、摩耗による洗浄ボールの質量変化を計測する必要があり、計測装置が複雑になる。
【０００８】
本願発明は係る問題に鑑み、冷却水の流速と洗浄ボールの速度とを用いて、洗浄効果を容易に監視することが出来る装置を提供することを目的とする。
【課題を解決するための手段】
【０００９】
上記課題を解決するため、本願発明は、洗浄効果を確認することが出来るボール洗浄効果監視装置において、該ボール洗浄効果監視装置はメイン管とバイパス管とを有し、  該メイン管の上流部に洗浄ボールを該バイパス管に導くためのスパイラル管を設け、該バイパス管の一部を速度計測管と成し該洗浄ボールの速度を計測すると共に該バイパス管に流体の流速計測手段を設け、該速度計測管に該洗浄ボールの速度を計測するための速度計測手段を設け、該速度計測管の内径を該洗浄ボールの外径より小さくなるように設定したことで、洗浄ボールの速度、及び流体の流量を計測することが出来るようになっている。
【００１０】
また、該速度計測管の内径を該洗浄ボールが洗浄する対象の内径と等しいようにしたことで、洗浄効果の評価を容易にすることが出来る。
【００１１】
また、該速度計測手段に、光センサーを用いることも出来る。
【００１２】
また、該スパイラル管の内面に、帯状のガイドブレードを螺旋状に設けたことで、渦状の水流を発生させることが出来る。
【００１３】
また、該スパイラル管を軸心に対して回動するように構成したことで、メイン管からバイパス管に洗浄ボールを導く個数を調整することが出来る。
【００１４】
また、流体の流速と洗浄ボールの速度とを計測し流体の流速と洗浄ボールの速度との速度差を算出して速度差が大きいほど洗浄効果がよいと評価したことで、洗浄効果を評価することが出来る。
【発明の効果】
【００１５】
流体の流速と、洗浄ボールの速度との速度差を計測するだけで、容易に洗浄効果を評価し、監視することが出来る。
【発明を実施するための最良の形態】
【００１６】
本願発明のー実施形態を図面を参照しつつ説明する。
【００１７】
図１は発電所の復水器近傍の概略図である。
【００１８】
図１に示すように、本願発明の一つの適用例として復水器３に用いられている。復水器３は、冷却水が流れる冷却水供給管１ａと、冷却水排出管１ｃと連なって接続されている。また、冷却水排出管１ｃの冷却水流れ方向下流側には洗浄ボール回収装置２３が連なって接続している。そして、冷却水供給管１ａと冷却水排出管１ｃとの間には、復水器３とは別に、洗浄ボール６を流すための通路である洗浄ボール供給管２ｃ、中間部接続管２ｂ、及び洗浄ボール取入管２ａが、冷却水供給管１ａの側面及び洗浄ボール回収装置２３の側面に接続された構成になっている。ここで、洗浄ボール６は球状であり、軟弾性のスポンジ状の材質で形成されている。また、冷却水は流体であれば充分であり、例えば、真水、海水、油、空気などの流体であってもよい。
【００１９】
冷却水供給管１ａは、管の側面を貫通するように洗浄ボール供給管２ｃが接続されている。そして、洗浄ボール供給管２ｃは、冷却水供給管１ａの軸心近傍まで伸びるように形成している。このような構成により、洗浄ボール供給管２ｃから供給された洗浄ボール６は、冷却水供給管１ａを流れる冷却水に乗って、復水器３を均等に流れる構成になっている。
【００２０】
復水器３の冷却水が流れる通路になっている細管１ｂは、復水器３に複数形成されている。また、細管１ｂの内径は、洗浄ボール６が洗浄する対象の内径になっており、洗浄ボール６の外径より小さい径で構成されている。そして、冷却水供給管１ａから流れてきた洗浄ボール６は、細管１ｂを洗浄しながら下流方向へ流れる構成になっている。
【００２１】
冷却水排出管１ｃは、細管１ｂから冷却水流れ方向下流部で、管状の洗浄ボール回収装置２３と連なって接続されている。洗浄ボール回収装置２３の内部には、網状板２３ａを有しており、軸心に対して対向するように設置されている。そして、冷却水が上流から下流方向に向って流れると、冷却水は通過するが、冷却水中に含まれる洗浄ボール６は、網状板２３ａを通過することができず、網状板２３ａで回収される構成になっている。回収された洗浄ボール６は、洗浄ボール回収装置２３の側面に接続された、一つまたは複数の洗浄ボール取入管２ａへ流れる構成になっている。
【００２２】
洗浄ボール取入管２ａは、洗浄ボール６を下流から上流（冷却水排出管１ｃから冷却水供給管１ａ）へと戻すためのポンプ２４の取入側と接続されている。そして、一つのポンプ２４で洗浄ボール６を該下流から該上流へと戻すことが出来るように、洗浄ボール回収装置２３の側面に接続された、一つまたは複数の洗浄ボール取入管２ａは、ポンプ２４に至るまでに一つの管に統合されている。また、洗浄ボール取入管２ａと接続されたポンプ２４の排出側では中間部接続管２ｂと接続している。
【００２３】
中間部接続管２ｂは、後述するボール洗浄効果監視装置４を設けており、ボール洗浄効果を監視することが出来る。そして、中間部接続管２ｂは、洗浄ボール充填取出し装置５取入側に接続している。洗浄ボール充填取出し装置５の内部には網状板５ａを有しており、洗浄ボール充填取出し装置５が紙面の上下方向を軸にして回動することで、冷却水の通路を遮断し、冷却水中に含まれる洗浄ボール６を網状板５ａ上に蓄えることが出来る。蓄えられた洗浄ボール６は、ポンプ２４を停止させ、冷却水を取り除いた後に、洗浄ボール充填取出し装置５から洗浄ボール６を取り出すことが出来る。そして、新しい洗浄ボール６を洗浄ボール充填取出し装置５に戻し、再び洗浄を開始するようになっている。
【００２４】
洗浄ボール供給管２ｃは、洗浄ボール充填取出し装置５、及び冷却水供給管１ａに接続されており、冷却水供給管１ａとの接続部では、洗浄ボール供給管２ｃが管内の中心部付近まで延設されて開口し、洗浄ボール６が冷却水の流れに乗りやすいように設置されている。
【００２５】
上記構成により、洗浄効果がなくなるまで、細管１ｂを洗浄ボール６によって洗浄することが出来る。そして、ボール洗浄効果監視装置４によって、洗浄効果が劣っていると評価されると、上記のように、洗浄ボール充填取出し装置５で洗浄ボール６が新しい洗浄ボール６と交換され、交換された洗浄ボール６は、再び冷却水供給管１ａに供給される。
【００２６】
細管１ｂの清掃は、冷却水供給管１ａに供給された洗浄ボール６が、洗浄ボール６の外径より小さい内径をもつ細管１ｂを、冷却水の水圧によって洗浄ボール６が変形しながら細管１ｂを通過することで行われる。つまり、この洗浄ボール６が変形しながら細管１ｂを通過する際に、細管１ｂの内壁と洗浄ボール６の外面の摩擦力によって、細管１ｂの汚れが磨かれて清掃される。
【００２７】
図２はボール洗浄効果監視装置４の拡大正面図である。
【００２８】
図２に示すように、ボール洗浄効果確認装置４は、メイン管２ｄと、バイパス管７と、速度計測管９と、流量計２２と、スパイラル８とを有している。流量計２２は、流体の流速計測手段の一部であり、ピトー管式流速流量計、光センサー式流速流量計なども流速計測手段の一部として用いることも出来る。
【００２９】
メイン管２ｄには、バイパス管７が冷却水の流れ方向に平行で橋絡して接続している。また、メイン管２ｄの橋絡して接続している橋絡上流部３２の近傍には、スパイラル管８がメイン管２ｄの端部に挿設され、フランジ２９、３０でスパイラル管８の鍔部２６を狭着している。
【００３０】
バイパス管７は、バイパス管７の一部を速度計測管９と成しており、速度計測管９はボルトによってバイパス管７に狭着されている。
【００３１】
速度計測管９は、円筒状の形を形成しており、円筒状部内面９ａの径は、洗浄ボール６の外径より小さくなるように設定されている（円筒状部内面９ａの径：Ｄ１、標準状態の洗浄ボールの外形：ｄ１、とすると、０．８８≦Ｄ１／ｄ１≦０．９７の範囲）。そのため、速度計測管９に洗浄ボール６等の障害物が停止するような閉塞時に対応するために、バイパス管７には閉塞防止除去装置２０が設置されている。そして、速度計測管９が該障害物によって閉塞した場合には、閉塞防止除去装置２０の内部に挿設されたアーム（図示せず）を、速度計測管９に延ばすことで、該障害物を速度計測管９からバイパス管７に移動させて取り除くことが出来るようになっている。さらに、円筒状部内面９ａの径は、復水器３の細管１ｂの内径と等しくなるように設定すると、洗浄効果を容易に評価することが出来るようになっている。
【００３２】
また、速度計測管９には、速度計測手段の一つである光センサー１０、１１が冷却水流れ方向に一定間隔を置いて設置されており、洗浄ボール６の速度を、光送受信機２６、２７を介して評価器２１に送ることが出来る。速度計測手段は、光以外にも、マイクロ波、超音波などのセンサーを用いてもよい。
【００３３】
そして、光センサー１０、１１には送信部の光センサー送信部１０ａ、１１ａと、受信部の光センサー受信部１０ｂ、１１ｂとが構成されており、上記光センサー送信部１０ａ、１１ａと、光センサー受信部１０ｂ、１１ｂとは、互いにそれぞれ速度計測管９の軸心に対向する位置に設置している。光センサー１０、１１がこのような構成になっていることで、洗浄ボール６が光センサー１０、１１を通過すると、洗浄ボール６の通過時間と、光センサー１０、１１間の距離とから洗浄ボール６の速度が計測される。また、光センサー１０、１１には、光を送受信することが出来る光送受信機２６、２７がケーブルを介して接続されており、洗浄ボール６の通過信号を評価器２１に送信することが出来るようになっている。
【００３４】
速度計測管９の下流部には、冷却水の流速を計測するために、流量計２２が速度計測管９とバイパス管７の間に挿設されている。また、流量計２２は、評価器２１にケーブルを介して接続されており、流量計２２で計測された冷却水の流速信号を評価器２１に送信することが出来るようになっている。なお、冷却水の流速は、洗浄ボールが流れているかどうかにかかわらず常時計測されており、一定期間の流速の平均値を、冷却水の流速として評価器２１に流速信号が送信されるようになっている。
【００３５】
評価器２１は、洗浄効果を表示する表示部を有しており、光送受信機２６、２７から受信した洗浄ボール６の通過信号、及び流量計２２から受信した冷却水の流速信号を基に、流速の平均値Ｖ２、及び洗浄ボール６の速度の平均値Ｖ１を評価用のデータとして洗浄効果を評価し、表示することが出来る。後述する洗浄効果の評価方法は、冷却水の流速の平均値Ｖ２と、洗浄ボール６の速度の平均値Ｖ１との速度差ΔＶ（＝Ｖ２−Ｖ１）を用いて
評価することが出来るようになっている。そして、測定精度を安定させるために、データ全体のある範囲の数を削除し、残りのデータを評価用のデータとして用いるようになっている。例えば、１００個の洗浄ボール６の速度を計測したとすると、この最小計測値から１５個と最大計測値から１５個のデータを削除した７０個のデータの平均値を評価用のデータとして用いる。
【００３６】
図３はスパイラル管８の拡大正面図であり、（ａ）は正面図、（ｂ）は平面図、（ｃ）は側面図である。
【００３７】
図３に示すように、スパイラル管８は、円筒状の形を形成しており、円筒部３１の端部には鍔部２６が形成されている。鍔部２６を挟んで対向する位置には、メイン管２ｄのフランジ２９と、中間部接続管２ｂのフランジ３０が前後に形成されており、前後からスパイラル管８の鍔部２６を狭着している（図２）。鍔部２６には、半径方向外側にレバー１９が設置されており円周方向に回動が自由になっている。また、スパイラル管８は、バイパス管７に洗浄ボール６を導くための開口２５を有している。開口２５は、鍔部２６に連なる円筒部３１の後方部を、略半円筒形の部分だけ切り取った形で形成されている。そして、この開口２５の位置は、開口２５と橋絡上流部３２とが合うような位置に構成されている。
【００３８】
スパイラル管８の内面には、帯状のガイドプレード１８が螺旋状に設けられている。また、ガイドブレード１８を有することで、冷却水がスパイラル管８を流れる際に、渦状の水流が発生し、この水流の遠心力で洗浄ボールが開口２５から飛び出し、バイパス管７に流れるように形成されている。これは、冷却水に乗って流れてくる洗浄ボール６が、渦状の水流に乗るのと共に、ガイドブレード１８に洗浄ボール６が接触することで、洗浄ボール６がガイドブレード１８をつたって、バイパス管７に導かれるものであると考えられる。
【００３９】
このような構成により、メイン管２ｄからバイパス管７に洗浄ボール６を送り込むことが出来る。また、スパイラル管８は、単に洗浄ボール６をバイパス管７に送り込むだけでなく、レバー１９を回動させることで、スパイラル管８からバイパス管７に導く洗浄ボール６の個数とメイン管２ｄを流れていく洗浄ボール６の個数とを調整することも出来る。つまり、橋絡上流部３２と、開口２５の位置関係により、バイパス管７に導く洗浄ボールの個数を調整することが出来るようになっている。
【００４０】
例えば、橋絡上流部３２が開口２５の垂直上方に位置する場合が、洗浄ボール６を最も多くバイパス管７に導くことが出来るとする。この状態からスパイラル管８を回動して開口２５が橋絡上流部３２に対してズレた位置にすると、ガイドブレード１８によって発生した渦状の水流が洗浄ボール６をバイパス管７に導くことが出来る最適な位置ではないことになる。つまり、バイパス管７に導く洗浄ボール６の数が減少するようになっている。
【００４１】
上記構成により、ボール洗浄効果監視装置４は、スパイラル管８によって冷却水と同時に洗浄ボール６をメイン管２ｄからバイパス管７に導き、導かれた冷却水及び洗浄ボール６は、速度計測管９を通過する。
【００４２】
図４は、洗浄ボール１２、１３が細管１ｂまたは速度計測管９（図１参照）を通過する際の状態の概略図である。図４（ａ）は洗浄ボールが新しい場合を示し、図４（ｂ）は洗浄ボールが使い込まれた場合を示す。
【００４３】
図４（ａ）は洗浄ボールがまだ新しい状態なので、外面がまだ摩耗で削れておらず、洗浄ボール１２の外径が細管１ｂの内径に比べてかなり大きい状態を示す。この状態で細管１ｂを通過しようとすると、洗浄ボール１２は管方向に伸びるように変形し、図４（ａ）の状態で細管を通過する。このとき、細管の内壁と洗浄ボール１２の外面との摩擦力が大きいので、摩擦力によって細管の内壁を磨くことができ、細管の内壁を充分清掃することが出来る。このとき、摩擦力が大きい分、細管を通過する速度が遅くなる。
【００４４】
一方、図４（ｂ）は洗浄ボールが使い込まれた状態なので、外面が細管との摩耗によって削られており、洗浄ボール１３の外径が細管の内径に近い大きさになっている。この状態で細管を通過すると、細管の内壁と洗浄ボールの外面との摩擦力が小さいので、摩擦力によって細管の内壁を充分磨くことができず、細管の内面を充分に清掃することができない。このとき、摩擦力が小さい分、細管を通過する速度が速くなる。そして、この新しい洗浄ボールと、使い込まれた洗浄ボールとの細管の通過速度の違いは、ボール洗浄効果監視装置４を用いて、洗浄ボールの洗浄効果を評価することが出来る。
【００４５】
図５を用いて洗浄ボールがどの程度の洗浄効果を有しているかの評価方法を説明する。
【００４６】
図５は、バイパス管を流れる冷却水の速度の平均値と、洗浄ボールの速度の平均値との速度差をグラフにした図である。
【００４７】
縦軸に冷却水の流速と洗浄ボールの速度との速度差、横軸に冷却水の流速を示し、洗浄効果の評価可能範囲は、計測下限と計測上限、及び新ボール使用開始線とボール劣化限界線で囲まれる範囲内である。これは、この評価可能範囲外では、測定精度に問題があるためである。そして、この洗浄効果の評価は、該速度差によって評価される。
【００４８】
まず、バイパス管を流れる冷却水の流速を流量計２２によって計測する。この時の冷却水の流速の平均値をＶ２とする。そして、速度計測管の洗浄ボール６の速度を、上記光センサーを用いて計測する。この時の洗浄ボール６の速度の平均値をＶ１とすると、冷却水の流速と洗浄ボールの速度との速度差ΔＶは、ΔＶ＝Ｖ２−Ｖ１と表される。また、使用
開始点１２とボール交換点１５との速度計測幅ＶｍはＶｍ＝ΔＶｂ−ΔＶａと表される。
これにより、洗浄ボールの洗浄効果を、速度差ΔＶと、使用開始点１２からボール交換点
１５の範囲における速度差ΔＶとの割合（（ΔＶ−ΔＶａ）／Ｖｍ）を用いて評価するこ
とが出来るようになっている。つまり、冷却水の流速Ｖ２における速度差ΔＶが、速度計
測幅Ｖｍの何％に当たるかにより洗浄効果を評価することが出来るようになっている。
【００４９】
図５について、冷却水速度Ｖ２＝Ｖｘの場合を例とって説明すると、新しい洗浄ボールの使用開始時の速度差ΔＶ＝ΔＶｂは、使用開始点１２に位置する。そして、洗浄ボール
が使い込まれるにしたがって、速度差ΔＶは矢印の方向に向って小さくなっていき、速度
差ΔＶ＝ΔＶａとなるボール交換点１５に至るようになっている。このボール交換点３に
なると、洗浄効果がないと洗浄ボールは評価され交換対象となるようになっている。
【００５０】
つまり、速度差ΔＶが大きい場合、冷却水の速度Ｖ２に対する洗浄ボールの速度Ｖ１が
遅いことを示すので、速度計測管の内壁から受ける摩擦力が大きいことを意味する。従ってこの場合、洗浄ボールが細管を通過するとき、洗浄ボールが細管の内壁から受ける摩擦力が大きいことを意味し、細管の内壁を充分清掃することができていることを示す。最も速度差ΔＶが大きくなるのは、新しい洗浄ボールを使用した場合であり、使用開始点１２
に位置する。
【００５１】
一方、速度差ΔＶが小さい場合、冷却水の流速Ｖ２と洗浄ボールの速度が近いことを示
すので、速度計測管の内壁から受ける摩擦力が小さいことを意味する。従ってこの場合、洗浄ボールが細管を通過するとき、洗浄ボールが細管の内壁から受ける摩擦力が小さいことを意味するので、細管の内壁を充分清掃することができていないことを示す。最も速度差ΔＶが小さくなるのは、繰り返し洗浄ボールを使用しボール劣化限界になった場合であ
り、ボール交換点１５に位置する。
【００５２】
上記のようにして得られた洗浄効果によって、全体として、洗浄ボールが細管の内壁を充分清掃することができない（つまり、洗浄効果が０％近傍）と評価された時点で、循環している洗浄ボールの全部を新しい洗浄ボールと取り替えて、洗浄効果を維持出来るようになっている。
【００５３】
本願発明の図１では冷却水排出管１ｃの洗浄ボール回収装置２３により導かれた洗浄ボール６は、ポンプ２４、ボール洗浄効果監視装置４、洗浄ボール充填取出し装置５の順に通過して再び冷却水供給管１ａに投入されるようになっている。しかし、ボール洗浄効果監視装置４は、全ての洗浄ボールが循環後集合する位置に設置してあれば充分に計測出来るので、例えば、ポンプ２４、洗浄ボール充填取出し装置５、ボール洗浄効果監視装置４の順に洗浄ボール６が流れても、充分に計測出来るので問題になることはない。よって、ポンプ２４、ボール洗浄効果監視装置４、洗浄ボール充填取出し装置５の配置順序は、限定する必要はないようになっている。
【００５４】
次に、本願発明の他の実施形態を説明する。
【００５５】
図６〜図８は、ボール洗浄効果監視装置４の他の実施形態の図である。
【００５６】
図６は、バイパス管の橋絡上流部が複数ある場合の概略図あり、（ａ）は正面図、（ｂ）は平面図である。
【００５７】
図６に示すように、メイン管３３の橋絡上流部３６、３７に接続されたバイパス管３４は、速度計測管３５の手前で合流して、速度計測管３５に接続されている。また、速度計測管３５は流量計４９と接続し、流量計４９の下流部ではバイパス管３４と接続し、橋絡下流部３８でメイン管３３と接続する構成になっている。橋絡上流部３６、３７のように、バイパス管３４がメイン管３３と複数の橋絡上流部３６、３７で接続することによって、洗浄ボールを効率的にバイパス管３４に導くことが出来るようになっている。
【００５８】
図７は、バイパス管がねじれている場合の概略図であり、（ａ）は正面図、（ｂ）は平面図である。
【００５９】
図７に示すように、メイン管３９の橋絡上流部４２に接続されたバイパス管４０は、速度計測管４１に接続されている。また、速度計測管４１は流量計５０と接続し、流量計５０の下流部ではバイパス管４０と接続し、橋絡下流部４３でメイン管３９と接続する構成になっている。そして、橋絡上流部４２の中心と、橋絡下流部４３の中心とを結ぶ直線が、メイン管３９の軸心に対してねじれた位置になるように、メイン管３９に接続されている。このような構成により、橋絡上流部４２の中心と、橋絡下流部４３の中心とを結ぶ直線が、周辺装置との関係などにより、メイン管３９の軸心に対して平行な位置に設けることができないときに、ボール洗浄効果監視装置を用いられるように構成されている。
【００６０】
図８は、メイン管が曲がっている場合の概略図であり、（ａ）は正面図、（ｂ）は平面図である。
【００６１】
図８に示すように、メイン管４４の橋絡上流部４７に接続されたバイパス管４５は、速度計測管４６に接続されている。また、速度計測管４６は流量計５１と接続し、流量計５１の下流部ではバイパス管４５と接続し、橋絡上流部４８でメイン管４４と接続出来る構成になっている。そして、メイン管４４は、橋絡上流部４７と橋絡上流部４８との間で曲げられて形成されている。このような構成により、メイン管上流部開口５２の軸心Ｏ２とメイン管下流部開口５３の軸心Ｏ１が、同一軸心上にないときに、ボール洗浄効果監視装置を用いられるように構成されている。
【００６２】
また、図６〜図８に示すボール洗浄効果監視装置の構成以外、例えば、図６〜図８で示している構成を組合せたものにも、ボール洗浄効果監視装置を有効利用するために、用いることが出来るようになっている。
【産業上の利用可能性】
【００６３】
発電所の復水器近傍の装置にのみならず、流体が随時流動しているところ、例えば、空調設備などの管内洗浄にも利用可能である。
【図面の簡単な説明】
【００６４】
【図１】本願発明の発電所の復水器近傍の概略図である。
【図２】本願発明のボール洗浄効果監視装置の拡大正面図である。
【図３】本願発明のスパイラル管の拡大図であり、（ａ）は正面図、（ｂ）は平面図、（ｃ）は側面図である。
【図４】本願発明の洗浄ボールが、細管または速度計測管を通過する際の状態の概略図である。（ａ）は洗浄ボールが新しい場合を示した図、（ｂ）は洗浄ボールが使い込まれた場合を示した図である。
【図５】本願発明のバイパス管を流れる冷却水の速度の平均値と、洗浄ボールの速度の平均値との速度差をグラフにした図である。
【図６】本願発明の他の実施形態で、バイパス管の橋絡上流部が複数ある場合の概略図あり、（ａ）は正面図、（ｂ）は平面図である。
【図７】本願発明の他の実施形態で、バイパス管がねじれている場合の概略図であり、（ａ）は正面図、（ｂ）は平面図である。
【図８】本願発明の他の実施形態で、メイン管が曲がっている場合の概略図であり、（ａ）は正面図、（ｂ）は平面図である。
【符号の説明】
【００６５】
１ａ  冷却水供給管、
１ｂ  細管
１ｃ  冷却水排出管
２ａ  洗浄ボール取入管
２ｂ  中間部接続管
２ｃ  洗浄ボール供給管
３  復水器
４  ボール洗浄効果監視装置
６  洗浄ボール
７  バイパス管
８  スパイラル管
９  速度計測管
１０、１１  光センサー
１８  ガイドブレード
２１  評価器
２２  流量計
【図１】
2005188906.tif 000003
【図２】
2005188906.tif 000004
【図３】
2005188906.tif 000005
【図４】
2005188906.tif 000006
【図５】
2005188906.tif 000007
【図６】
2005188906.tif 000008
【図７】
2005188906.tif 000009
【図８】
2005188906.tif 000010